(57)【要約】      （修正有）【課題】ＬＥＤの差込み固定型発光装置の一定部分に集中してＬＥＤ端子を差込んでもＬＥＤの照度に変化がなく、強度の振動があってもＬＥＤが抜け出すことも又折り曲がることにも対応でき、又模様状に点灯点滅する。【解決手段】織布に導電塗料を含浸・乾燥した良導体を面電極とし、（＋）（−）各々の面電極に水平方向に１本の細線を縫製し、垂直方向に１０ｃｍ程度の間隔で細線を縫製した。（＋）（−）各々の細線が重複しないように配置して、最後に面電極の上、下に絶縁板としてゴム状発泡絶縁体を被着した。全体の構成が電気抵抗を低くし明るい照度をもたらしている。ＬＥＤ端子も形状または材質を強固にし簡単に折れないようにした。放射状に点滅する方法は面電極を複数のブロックに分割して、このブロック毎に加える電圧をコントローラーで電圧制御する。【選択図】図３
0003112630.tif 000002
【実用新案登録請求の範囲】
【請求項１】
織布に導電性塗料を塗布・乾燥した（±）各１組の良導体を面電極としたものにおいて、第１の面電極（ｅ−１）には電源電流を接続する水平電極線（Ｅ）と、前記水平電極線（Ｅ）と直角方向に５〜１０ｃｍ間隔に垂直電極線（Ｅ−１）が縫製接続され、更に、第２の面電極（ｅ−２）も前記第１の面電極（ｅ−１）同様に電源電流を接続する水平電極線（Ｅ′）と共に、垂直電極線（Ｅ′−１）が前記第１の面電極の電極線と重ならない位置に水平、垂直電極線が縫製され、これら第１、及び第２の面電極の上、下に絶縁板（１）、（２）、（３）を被着してなることを特徴とするＬＥＤの差込み固定型発光装置。
【請求項２】
ＬＥＤの（±）２本の端子のうちの短端子は円形構造突起とし第１の面電極（ｅ−１）迄の長さとするが、長端子は前記（１）の絶縁板から第１の面電極（ｅ−１）を通過し、前記（２）の絶縁板を突き通す間は長方形で周囲を絶縁被覆し先端部は円形突起として第２の面電極（ｅ−２）を通過する長さとし、更に端子全体を硬質素材で構成してなることを特徴とする差込み固定型ＬＥＤ端子。
【請求項３】
（＋）の面電極（ｅ−１）又は（−）の面電極（ｅ−２）を均等に分割したり、放射状に分割したり、パズルのように各々違った形状のブロックに分割し、コントローラーで各ブロックに加える電圧を制御して局部的にＬＥＤの明るさを変化、点滅させることを特徴とするＬＥＤの差込み固定型発光装置。
【考案の詳細な説明】
【技術分野】
【０００１】  本考案は、織布を主体とした面電極の構成と共に面電極に金属細線の電極線を配列具備することで抵抗を均等にし、更に、差込み固定するＬＥＤ端子の構造を頑丈にし任意の位置に差込むだけでＬＥＤランプが鮮明に照射する装置に関する。
【背景技術】
【０００２】  ＬＥＤの固定型発光装置において、±１組の面電極を発泡ポリエチレン素材にし、その表裏面を炭素系導電塗料で吹き付け塗布乾燥させ、更に面電極内を金属細線で縫製した装置は、既に当社が出願中で見ることが出来る。【０００３】  前記発泡ポリエチレンを面電極に採用することは得策でないことが判明した。理由は表面が凹凸な素材であり炭素塗料を吹き付け塗布しても表面抵抗を均一にすることは難しい、更に量産型の製造が不可能で割高である。又ＬＥＤ端子を同じ位置に数回差し込むと接触が悪くなりランプが点灯しなくなる欠点が生じた。【０００４】  この改善策として、機械的に長尺で塗布乾燥ができ更に均一な抵抗を作るには長尺な織布に導電塗料を塗布乾燥する方法がよい。ＬＥＤ端子も差し込んでも織布にからみ固定し少々の振動では抜けずらく採用できる。この場合本考案のＬＥＤ端子の素材を頑丈にし採用することが望ましい。
【考案の開示】
【考案が解決しようとする課題】
【０００５】  本考案の特徴は、ＬＥＤ端子を固定型面発光装置のどの位置から差し込んでもＬＥＤランプが均等に明るい照度をもたらすことである。解決の原理は面電極を均一な抵抗体にすることである。又更に織布に直接突き刺さる端子が折り曲がったり折れて使用不能になるような端子では問題外である。【０００６】  本考案はＬＥＤの差込みパネルの構成であり広告塔に応用するパネル構造に適する。ＬＥＤ独特の照明効果は色彩を豊富にし回路応用で波状型又は放射線状に点灯消滅させ人間の目を引き付ける効果をもたらすことである。
【課題を解決するための手段】
【０００７】  本考案の炭素系面電極を低抵抗にしＬＥＤの照明効果をもたらす手段として、面電極の縁側に沿って水平電極を細線で縫製して設け、更に水平電極線に垂直方向にも７〜１０ｃｍ間隔で配列して縫製する。各１組の±面電極は以上の構成で、しかも、各面電極の電極細線が重複しないように組み合わせることで発光装置が完成する。【０００８】  本考案の発光装置に差込むＬＥＤの端子構造は、織布を突き抜け固定させるため変形しない材質と構造が必要である。特に本考案の発光装置は時によりデザインを変更することも特徴であるのでＬＥＤ端子の差し替えは必要となり頑丈さが要求される。【０００９】  本考案の点滅表示は、（＋）や（−）の面電極を複数のブロックに分割して、このブロック毎に加える電圧をコントローラーで制御することで、容易に電飾表現を豊かにすることができる。この時の面電極のブロックは、均等に分割したり、放射状に分割したり、パズルのように各々違った形状にしたりして、表現することが可能となる。なお、ブロック面電極は前述のブロックで切り離す方法と１枚の面電極内にある複数の電極をコントローラーで電圧制御する（点灯させない部分の電圧を対向面電極と同じ電圧にする）方法があり、また、これらの組み合わせも考えられる。
【考案の効果】
【００１０】  織布にカーボン塗料を含浸・乾燥させた電気抵抗は非常に均一な抵抗で作成することが可能である。更に水平又は垂直方向に電極細線が縫い込まれ低抵抗に構成されている。
ＬＥＤ端子も織布に差し込まれると簡単に抜き取れないことも有効である。更に端子も頑丈な構造にしてあるため転用が可能である。
【考案を実施するための最良の形態】
【００１１】  頑丈に作られたＬＥＤ端子は、発泡スポンジゴムの絶縁板（１）から差込まれ（ｅ−１）・（２）・（ｅ−２）・（３）の順序で接着固定された発光装置に差込まれる。色彩別ＬＥＤをテザインに沿って差し込む構成であるが新規のデザインに変更できることが本考案の特徴でもある。
【実施例１】
【００１２】  本考案の実施の形態を実施例に基づき図１を参照して説明する。
図１はＬＥＤの差込み固定型発光装置の形態を示す一部露出斜面図である。
ダイオード（Ｄ）は、発光灯部（Ｒ）と長端子（Ｄ１）と短端子（Ｄ２）とで構成される。長端子（Ｄ１）は、面電極（ｅ−１）を貫通する周囲を絶縁樹脂塗料で被膜（Ｃ）保護し、更にその先端は面電極（ｅ−２）を突き通し固定される。短端子（Ｄ２）の長さは面電極（ｅ−１）まで突き刺し止める。この長、短端子の先端はいずれも鋭利に尖らせてある。【００１３】  前記面電極（ｅ−１）又は（ｅ−２）は、織布にカーボン塗料を含浸・乾燥させる事で低抵抗の良導性がもたらされる。長端子（Ｄ１）の根元は頑丈にするため長方形に成型され先端は短端子（Ｄ２）とも円形にして先端を尖らしている。
面電極（ｅ−１）又は（ｅ−２）には、図２に記載の如く（ｅ−１）には水平電極線（Ｅ）と共に水平電極線（Ｅ）と直角に垂直電極線（Ｅ−１）が７〜１０ｃｍ間隔で縫製され設けられる。又（ｅ−２）は（ｅ−１）の電極線と重ならない位置に水平電極線（Ｅ′）と垂直電極線（Ｅ′−１）が具備される。【００１４】  本考案のＬＥＤの差込み固定型発光装置は、図１の如く面電極（ｅ−１）又は面電極（ｅ−２）の上、下を発泡スポンジゴム等の絶縁体（１）又は（２）と（３）がそれぞれ接着剤で固定され完成されている。
【産業上の利用可能性】
【００１５】  本考案にかかるＬＥＤの差込み固定型発光装置は、商業用看板・道路標識・鉄道標識・その他広告塔等の用途にも適応できる。
【図面の簡単な説明】
【００１６】
【図１】ＬＥＤの差込み固定型発光装置の露出斜面図
【図２】面電極（ｅ−１）（ｅ−２）の電極線配置図
【図３】ＬＥＤ端子の構造図
【符号の説明】
【００１７】１…面絶縁板
２…面絶縁板
３…面絶縁板
（ｅ−１）…（＋）面電極
（ｅ−２）…（−）面電極
（Ｄ）…ＬＥＤ（ダイオード）
（Ｄ１）…長端子
（Ｄ２）…短端子
（Ｒ）…発光灯部
（Ｃ）…絶縁被膜
（Ｅ）…（＋）水平電極線
（Ｅ′）…（−）水平電極線
（Ｅ−１）…（＋）垂直電極線
（Ｅ′−１）…（−）垂直電極線
【図１】
0003112630.tif 000003
【図２】
0003112630.tif 000004
【図３】
0003112630.tif 000005
【手続補正書】
【提出日】平成17年4月14日(2005.4.14)
【手続補正１】
【補正対象書類名】実用新案登録請求の範囲
【補正対象項目名】全文
【補正方法】変更
【補正の内容】
【実用新案登録請求の範囲】
【請求項１】
２組の平面電極層を各上、下に絶縁層で被着してなるＬＥＤの発光装置において、差込みＬＥＤの照度を高める手段として、前記平面電極層を低抵抗にするため織布に導電塗料を塗布乾燥した第１の面電極層（ｅー１）には電源電流を接続する水平電極線（Ｅ）と、前記水平電極線（Ｅ）と直角方向に５〜１０ｃｍ間隔に垂直電極線（Ｅー１）が縫製接続され、更に、第２の面電極層（ｅー２）も前記第１の面電極層（ｅー１）同様に電源電流を接続する水平電極線（Ｅ′）と共に、垂直電極線（Ｅ′ー１）が前記第１の面電極層の電極線と重ならない位置に水平、垂直電極線が縫製され、これら第１、及び第２の面電極層の上、下に絶縁層（１）、（２）、（３）を被着してなることを特徴とする
ＬＥＤの差込み固定型発光装置。
【請求項２】
前記請求項１のＬＥＤの差込み発光装置に使用するための差込み固定型ＬＥＤ端子構造であって、差込みＬＥＤの（±）２本の端子のうちの短端子は円形構造突起とし第１の面電極（ｅー１）迄の長さとするが、長端子は前記（１）の絶縁層から第１の面電極（ｅー１）を通過し、前記（２）の絶縁層を突き通す間は長方形で周囲を絶縁被覆し先端部は円形突起として第２の面電極（ｅー２）を通過する長さとし、更に端子全体を硬質素材で頑丈に構成してなることを特徴とする
差込み固定型ＬＥＤ端子構造。
【請求項３】
前記請求項１のＬＥＤの差込み固定型発光装置として、（＋）の面電極層（ｅー１）又は（−）の面電極層（ｅー２）を均等に分割したり、放射線に分割したり、パズルのように各々違った形状のブロックに分割し、コントローラーで各ブロックに加える電圧を制御して局部的にＬＥＤの明るさを変化、点滅させることを特徴とする
ＬＥＤの差込み固定型発光装置。